(57)【要約】【課題】  ディスクを簡単安価な構造で確実にクランプすること。【解決手段】  メインシャーシ２の一方の側壁部２ａに基端部が上下動ｈ，ｇ可能に枢支さればね１６により下方ｇに付勢された揺動アーム１５を有し、該揺動アーム１５の先端部下面に形成したクランパ室２０内にディスククランパ７の上部が一定範囲内昇降可能に嵌入され、前記揺動アーム１５を若干持ち上げるためのカム板１７Ａがトレイ１の側縁凹段部１ａに前後進ａ，ｂに沿って一体形成されており、プレイモードでばね１６により揺動アーム１５を押し下げることにより、ディスククランパ７とターンテーブル４とでディスクＤをクランプし、アンローディング信号に基づいてドライブシャーシを下動させてターンテーブル４を降下させ、それとほぼ同時に、トレイ１を前進ａさせてカム板１７Ａにより揺動アーム１５を介してディスククランパ７を若干持ち上げるようにした。【選択図】        図２
2006244621.tif 000002
【特許請求の範囲】
【請求項１】
ディスク載置用トレイを前後進可能に支持するメインシャーシと、該メインシャーシに上下動可能に枢支されて光ピックアップ及びターンテーブルを搭載したドライブシャーシとを有し、前記ターンテーブルに対向するディスククランパがメインシャーシの両側壁部間に架設した横桁に一定範囲内昇降可能に配置され、そのディスククランパとターンテーブルとのうち、その一方にマグネットが設けられると共に、その他方にヨークが設けられており、プレイモードにして、マグネット及びヨークの吸着力でターンテーブルとディスククランパとによりディスクをクランプし、該ディスクを高速回転させてそのディスクに記録されている情報を光ピックアップで読み取り、アンローディング信号に基づいてドライブシャーシを下動させてターンテーブルを降下させることにより、マグネット及びヨークの吸着力を解除し、ターンテーブル上のディスクをトレイ上に受け渡した後、該トレイを前進させるようにしたディスク装置において、前記マグネット及びヨークを省略し、前記横桁に代えて揺動アームが用いられ、該揺動アームの基端部がメインシャーシの一方の側壁部に上下動可能に枢支されると共に、その揺動アームを下方に付勢するばねが設けられ、前記ディスククランパの上部が揺動アームの先端部下面に形成したクランパ室内に一定範囲内昇降可能に嵌入され、そのディスククランパの上面中央に略半球状凸部が一体形成されると共に、該凸部に対向して前記クランパ室の底面中央に略半球状凹部が形成され、前記凸部の曲率半径よりも凹部の曲率半径を大きく設定することにより、その凸部の頂点だけが凹部の内周面に接触するように形成され、アンローディング時に揺動アームを介してディスククランパをトレイ上のディスクと接触しない位置まで持ち上げるための持ち上げ機構が設けられ、該持ち上げ機構が揺動アームに対向してトレイに前後進方向に沿って一体形成したカム板からなり、該カム板の高さをクランプ時のトレイから揺動アームまでの間隔よりも若干大きく設定しており、プレイモードで、ディスクの回転時に該ディスクが滑らないようなターンテーブルとディスククランパとの挟持力を付与可能な位置まで、ばねにより揺動アームを押し下げて該揺動アームの凹部の内周面をディスククランパの凸部の頂点に押し付けることにより、該ディスククランパとターンテーブルとでディスクをクランプし、アンローディング信号に基づいてドライブシャーシを下動させてターンテーブルをトレイと接触しない位置まで降下させ、それとほぼ同時に、トレイを前進させることにより、カム板を揺動アームの下にくぐらせて該揺動アームを介してディスククランパをトレイ上のディスクと接触しない位置まで持ち上げるようにしたことを特徴とするディスク装置。
【請求項２】
ディスク載置用トレイを前後進可能に支持するメインシャーシと、該メインシャーシに上下動可能に枢支されて光ピックアップ及びターンテーブルを搭載したドライブシャーシとを有し、前記ターンテーブルに対向して一定範囲内昇降可能なディスククランパが設けられており、プレイモードにして、ターンテーブルとディスククランパとによりディスクをクランプし、該ディスクを高速回転させてそのディスクに記録されている情報を光ピックアップで読み取り、アンローディング信号に基づいてドライブシャーシを下動させてターンテーブルを降下させることにより、該ターンテーブル上のディスクをトレイ上に受け渡した後、該トレイを前進させるようにしたディスク装置において、前記メインシャーシの一方の側壁部に基端部が上下動可能に枢支さればねにより下方に付勢された揺動アームを有し、該揺動アームの先端部下面に形成したクランパ室内に前記ディスククランパの上部が一定範囲内昇降可能に嵌入され、アンローディング時に揺動アームを介してディスククランパをトレイ上のディスクと接触しない位置まで持ち上げるための持ち上げ機構が設けられており、プレイモードで、ディスクの回転時に該ディスクが滑らないようなターンテーブルとディスククランパとの挟持力を付与可能な位置まで、ばねにより揺動アームを介してディスククランパを押し下げることにより、該ディスククランパとターンテーブルとでディスクをクランプし、アンローディング信号に基づいてドライブシャーシを下動させてターンテーブルをトレイと接触しない位置まで降下させ、それとほぼ同時に、持ち上
げ機構により揺動アームを介してディスククランパをトレイ上のディスクと接触しない位置まで持ち上げるようにしたことを特徴とするディスク装置。
【請求項３】
前記ディスククランパの上面中央に略半球状凸部が一体形成されると共に、該凸部に対向して前記クランパ室の底面中央に略半球状凹部が形成され、前記凸部の曲率半径よりも凹部の曲率半径を大きく設定することにより、その凸部の頂点だけが凹部の内周面に接触するように形成されており、プレイモードで、ディスクの回転時に該ディスクが滑らないようなターンテーブルとディスククランパとの挟持力を付与可能な位置まで、ばねにより揺動アームを押し下げて該揺動アームの凹部の内周面をディスククランパの凸部の頂点に押し付けることにより、該ディスククランパとターンテーブルとでディスクをクランプするようにしたことを特徴とする請求項２に記載のディスク装置。
【請求項４】
前記持ち上げ機構が揺動アームに対向してトレイに前後進方向に沿って一体形成したカム板からなり、該カム板の高さをクランプ時のトレイから揺動アームまでの間隔よりも若干大きく設定しており、アンローディング信号に基づいてトレイを前進させることにより、カム板を揺動アームの下にくぐらせて該揺動アームを介してディスククランパをトレイ上のディスクと接触しない位置まで持ち上げるようにしたことを特徴とする請求項２または３に記載のディスク装置。
【発明の詳細な説明】
【技術分野】
【０００１】
本発明は、例えばＤＶＤプレーヤなどのディスクの再生や記録または消去を行うためのディスク装置に関し、特に、ディスクを簡単安価な構造で確実にクランプすることができるようにしたものである。
【背景技術】
【０００２】
従来、ＤＶＤプレーヤの技術として特許文献１などに記載したものがあり、その一例を図７及び図８に基づいて説明すると、これは、ディスクＤ載置用トレイ１を前後進ａ，ｂ可能に支持するメインシャーシ２と、該メインシャーシ２に枢支軸６ａ回りで上下動ｃ，ｄ可能に枢支されて光ピックアップ３及びターンテーブル４付きスピンドルモータ５を搭載したドライブシャーシ６とを有し、前記ターンテーブル４に対向するディスククランパ７がメインシャーシ２の両側壁部２ａ，２ｂ間に架設した横桁８に一定範囲内昇降可能に配置され、そのディスククランパ７にマグネット９が設けられると共に、ターンテーブル４にヨーク１０が設けられ、ドライブシャーシ６の前面に突設したカム軸１１がカムスライダ１２のカム溝１２ａに嵌入され、該カムスライダ１２がメインシャーシ２に前後進ａ，ｂ方向とは直交する左右方向ｅ，ｆにスライド可能に配置されており、該カムスライダ１２を左方向ｅ（または右方向ｄ）にスライドさせることにより、ドライブシャーシ６を上下動ｃ，ｄさせる。なお、図７中、１３はメインシャーシ２の両側壁部２ａ，２ｂからトレイ１の両側縁凹段部１ａの上方まで延びる浮き上がり防止片である。
【０００３】
動作原理を説明すると、図７の実線及び図８（ａ）はプレイモードを示しており、マグネット９及びヨーク１０の吸着力でターンテーブル４とディスククランパ７とによりディスクＤをクランプし、スピンドルモータ５によりターンテーブル４を介してディスクＤを高速回転させ、該ディスクＤに記録されている情報を光ピックアップ３で読み取り、モニターに映像を再生する。
【０００４】
プレイモードからアンローディング信号が入力されると、図８（ｂ）に示すように、カムスライダ１２を左方向ｅ（または右方向ｆ）にスライドさせてドライブシャーシ６を下動ｄさせ、ターンテーブル４を降下させることにより、マグネット９及びヨーク１０の吸着力を解除し、ターンテーブル４上のディスクＤをトレイ１上に受け渡した後、該トレイ１を前進ａさせ、そのトレイ１からディスクＤを取り出し新たなディスクＤをトレイ１上に載置する。
【０００５】
続いて、ローディング信号が入力されると、図８（ａ）に示すように、トレイ１を後進ｂさせた後、カムスライダ１２を右方向ｆ（または左方向ｅ）にスライドさせてドライブシャーシ６を上動ｃさせ、ターンテーブル４を上昇させることにより、マグネット９及びヨーク１０の吸着力でターンテーブル４とディスククランパ７とによりディスクＤをクランプする。
【特許文献１】特開平７−３１２００８号公報
【発明の開示】
【発明が解決しようとする課題】
【０００６】
上記従来の構成では、ディスクＤをクランプするために比較的高価なマグネット９及びヨーク１０を用いているから、製作費が高くつくと共に、クランプの際に、「カチッ」という不快な動作音が生じる。
【０００７】
そこで、特許文献１に記載しているように、マグネット９及びヨーク１０を省略し、前
記横桁８に代えて用いた揺動アームを前後進ａ，ｂに沿って配置すると共に、該揺動アームの基端部をメインシャーシ２の後部に上下動可能に枢支させると共に、その揺動アームの先端部にディスククランパ７を一定範囲内昇降可能に設け、これによって、プレイモードで駆動機構により揺動アームを介してディスククランパ７を押し下げることにより、そのディスククランパ７とターンテーブル４とでディスクＤをクランプし、アンローディング信号に基づいて駆動機構により揺動アームを介してディスククランパ７を若干持ち上げることが考えられる。
【０００８】
上記構成によれば、揺動アームが前後進ａ，ｂに沿って配置されているため、該揺動アームを格納するための格納空間をメインシャーシ２の後部に確保する必要があり、該メインシャーシ２が大型化すると共に、その揺動アームを上下動するため駆動機構の構造が複雑となり、製作費が高くつく。
【０００９】
本発明は、上記従来の欠点に鑑み、ディスクを簡単安価な構造で確実にクランプすることができるようにしたディスク装置を提供することを目的としている。
【課題を解決するための手段】
【００１０】
上記目的を達成するため、請求項１に記載の発明は、ディスク載置用トレイを前後進可能に支持するメインシャーシと、該メインシャーシに上下動可能に枢支されて光ピックアップ及びターンテーブルを搭載したドライブシャーシとを有し、前記ターンテーブルに対向するディスククランパがメインシャーシの両側壁部間に架設した横桁に一定範囲内昇降可能に配置され、そのディスククランパとターンテーブルとのうち、その一方にマグネットが設けられると共に、その他方にヨークが設けられており、プレイモードにして、マグネット及びヨークの吸着力でターンテーブルとディスククランパとによりディスクをクランプし、該ディスクを高速回転させてそのディスクに記録されている情報を光ピックアップで読み取り、アンローディング信号に基づいてドライブシャーシを下動させてターンテーブルを降下させることにより、マグネット及びヨークの吸着力を解除し、ターンテーブル上のディスクをトレイ上に受け渡した後、該トレイを前進させるようにしたディスク装置において、前記マグネット及びヨークを省略し、前記横桁に代えて揺動アームが用いられ、該揺動アームの基端部がメインシャーシの一方の側壁部に上下動可能に枢支されると共に、その揺動アームを下方に付勢するばねが設けられ、前記ディスククランパの上部が揺動アームの先端部下面に形成したクランパ室内に一定範囲内昇降可能に嵌入され、そのディスククランパの上面中央に略半球状凸部が一体形成されると共に、該凸部に対向して前記クランパ室の底面中央に略半球状凹部が形成され、前記凸部の曲率半径よりも凹部の曲率半径を大きく設定することにより、その凸部の頂点だけが凹部の内周面に接触するように形成され、アンローディング時に揺動アームを介してディスククランパをトレイ上のディスクと接触しない位置まで持ち上げるための持ち上げ機構が設けられ、該持ち上げ機構が揺動アームに対向してトレイに前後進方向に沿って一体形成したカム板からなり、該カム板の高さをクランプ時のトレイから揺動アームまでの間隔よりも若干大きく設定しており、プレイモードで、ディスクの回転時に該ディスクが滑らないようなターンテーブルとディスククランパとの挟持力を付与可能な位置まで、ばねにより揺動アームを押し下げて該揺動アームの凹部の内周面をディスククランパの凸部の頂点に押し付けることにより、該ディスククランパとターンテーブルとでディスクをクランプし、アンローディング信号に基づいてドライブシャーシを下動させてターンテーブルをトレイと接触しない位置まで降下させ、それとほぼ同時に、トレイを前進させることにより、カム板を揺動アームの下にくぐらせて該揺動アームを介してディスククランパをトレイ上のディスクと接触しない位置まで持ち上げるようにしたことを特徴としている。
【００１１】
請求項２に記載の発明は、ディスク載置用トレイを前後進可能に支持するメインシャーシと、該メインシャーシに上下動可能に枢支されて光ピックアップ及びターンテーブルを
搭載したドライブシャーシとを有し、前記ターンテーブルに対向して一定範囲内昇降可能なディスククランパが設けられており、プレイモードにして、ターンテーブルとディスククランパとによりディスクをクランプし、該ディスクを高速回転させてそのディスクに記録されている情報を光ピックアップで読み取り、アンローディング信号に基づいてドライブシャーシを下動させてターンテーブルを降下させることにより、該ターンテーブル上のディスクをトレイ上に受け渡した後、該トレイを前進させるようにしたディスク装置において、前記メインシャーシの一方の側壁部に基端部が上下動可能に枢支さればねにより下方に付勢された揺動アームを有し、該揺動アームの先端部下面に形成したクランパ室内に前記ディスククランパの上部が一定範囲内昇降可能に嵌入され、アンローディング時に揺動アームを介してディスククランパをトレイ上のディスクと接触しない位置まで持ち上げるための持ち上げ機構が設けられており、プレイモードで、ディスクの回転時に該ディスクが滑らないようなターンテーブルとディスククランパとの挟持力を付与可能な位置まで、ばねにより揺動アームを介してディスククランパを押し下げることにより、該ディスククランパとターンテーブルとでディスクをクランプし、アンローディング信号に基づいてドライブシャーシを下動させてターンテーブルをトレイと接触しない位置まで降下させ、それとほぼ同時に、持ち上げ機構により揺動アームを介してディスククランパをトレイ上のディスクと接触しない位置まで持ち上げるようにしたことを特徴としている。
【００１２】
請求項３に記載の発明は、請求項２に記載の発明において、前記ディスククランパの上面中央に略半球状凸部が一体形成されると共に、該凸部に対向して前記クランパ室の底面中央に略半球状凹部が形成され、前記凸部の曲率半径よりも凹部の曲率半径を大きく設定することにより、その凸部の頂点だけが凹部の内周面に接触するように形成されており、プレイモードで、ディスクの回転時に該ディスクが滑らないようなターンテーブルとディスククランパとの挟持力を付与可能な位置まで、ばねにより揺動アームを押し下げて該揺動アームの凹部の内周面をディスククランパの凸部の頂点に押し付けることにより、該ディスククランパとターンテーブルとでディスクをクランプするようにしたことを特徴としている。
【００１３】
請求項４に記載の発明によれば、請求項２または３に記載の発明において、前記持ち上げ機構が揺動アームに対向してトレイに前後進方向に沿って一体形成したカム板からなり、該カム板の高さをクランプ時のトレイから揺動アームまでの間隔よりも若干大きく設定しており、アンローディング信号に基づいてトレイを前進させることにより、カム板を揺動アームの下にくぐらせて該揺動アームを介してディスククランパをトレイ上のディスクと接触しない位置まで持ち上げるようにしたことを特徴としている。
【発明の効果】
【００１４】
請求項１に記載の発明は実施の一形態（図１〜図６参照）に対応するものであって、これによれば、ディスクをクランプするため従来必要であった比較的高価なマグネット及びヨークを省略しているから、その省略した分だけ製作費を安くすることができると共に、クランプの際の「カチッ」という不快な動作音を消すことができる。
【００１５】
また、ディスククランパを支持する揺動アームがメインシャーシの中央部上方に配置されているから、メインシャーシの後部に従来のように揺動アーム用格納空間を確保することが不要で、その不要となった分だけ該メインシャーシを小型化することができ、経済的である。
【００１６】
更に、プレイモードでばねにより揺動アームを押し下げ、該揺動アームの凹部の内周面をディスククランパの凸部の頂点に押し付けるようになっており、その凸部の頂点を中心にディスククランパが揺動可能に形成されているから、該ディスククランパの下面外周縁の全体をターンテーブル上のディスクに押し付けて、該ディスクを確実にクランプするこ
とができる。
【００１７】
また更に、前記凹部の内周面と凸部の頂点とが点接触しているだけであり、その両者間の摩擦抵抗が極めて小さいから、ディスクを小さな駆動力で高速回転させることができ、しかも、その点接触箇所でディスクが支えられているから、該ディスクを芯振れさせることなく高速回転させて、光ピックアップによる読取り精度を高めることができる。
【００１８】
更に、持ち上げ機構がトレイに一体形成したカム板からなっており、その部品点数が少なく、しかも、トレイの前後進を利用してカム板により揺動アームを上下動させるようになっており、その構造が簡単であるから、製作費を極めて安くすることができる。
【００１９】
請求項２に記載の発明は基本形態に対応するものであって、これによれば、ディスクをクランプするため従来必要であった比較的高価なマグネット及びヨークを省略しているから、その省略した分だけ製作費を安くすることができると共に、クランプの際の「カチッ」という不快な動作音を消すことができる。
【００２０】
また、ディスククランパを支持する揺動アームがメインシャーシの中央部上方に配置されているから、メインシャーシの後部に従来のように揺動アーム用格納空間を確保することが不要で、その不要となった分だけ該メインシャーシを小型化することができ、経済的である。
【００２１】
更に、ばねと持ち上げ機構とにより揺動アームを介してディスククランパを上下動させることにより、該ディスククランパとターンテーブルとでディスクを確実にクランプしたりそのクランプを確実に解除することができる。
【００２２】
請求項３に記載に発明によれば、プレイモードでばねにより揺動アームを押し下げ、該揺動アームの凹部の内周面をディスククランパの凸部の頂点に押し付けるようになっており、その凸部の頂点を中心にディスククランパが揺動可能に形成されているから、該ディスククランパの下面外周縁の全体をターンテーブル上のディスクに押し付けて、該ディスクを確実にクランプすることができる。
【００２３】
また、前記凹部の内周面と凸部の頂点とが点接触しているだけであり、その両者間の摩擦抵抗が極めて小さいから、ディスクを小さな駆動力で高速回転させることができ、しかも、その点接触箇所でディスクが支えられているから、該ディスクを芯振れさせることなく高速回転させて、光ピックアップによる読取り精度を高めることができる。
【００２４】
請求項４に記載の発明によれば、持ち上げ機構がトレイに一体形成したカム板からなっており、その部品点数が少なく、しかも、トレイの前後進を利用してカム板により揺動アームを上下動させるようになっており、その構造が簡単であるから、製作費を極めて安くすることができる。
【発明を実施するための最良の形態】
【００２５】
図１〜図６は本発明の実施の一形態であるＤＶＤプレーヤ（ディスク装置）を示すものであって、ディスククランパ７を支持する揺動アーム１５がメインシャーシ２の中央部上方に前後進ａ，ｂとは直交する左右方向ｅ，ｆに沿って配置され、該揺動アーム１５を下向きに付勢するばね１６と、揺動アーム１５をアンローディング時にトレイ１のディスクＤを接触しない位置まで持ち上げるための持ち上げ機構１７とが設けられている。上記以外の構成は図７及び図８に示す構成とほぼ同じであるから、同一部分に同一符号を付してその説明を省略する。
【００２６】
前記揺動アーム１５は、図２〜図４に示すように、直線状アーム本体１５ａと、該アーム本体１５ａの先端に一体形成した円形状先端部１５ｂとからなり、アーム本体１５ａの基端部が枢支軸１８を介して一方の側壁部２ａに一体突設した一対の軸受ブラケット１９に上下動ｇ，ｈ可能に枢支されており、その揺動アーム１５がメインシャーシ２の中央部上方に配置されているから、該メインシャーシ２の後部に従来のように揺動アーム用格納空間を確保することが不要で、その不要となった分だけそのメインシャーシ２を小型化することができ、経済的である。また、前記先端部１５ｂの下面に円形のクランパ室２０が形成され、該クランパ室２０の下面外周縁に周方向所定間隔をおいて複数の抜け止め片２１が一体突設されている。なお、図２中、２２は一方の側壁部２ａの内周面に突設した略Ｌ字状ストッパであって、揺動アーム１５の下がり過ぎを阻止するものである。
【００２７】
前記ばね１６は、図２に示すように、前記枢支軸１８に巻回されて、その一端を一方の側壁部２ａに係合させると共に、その他端を揺動アーム１５に係合させることにより、該揺動アーム１５を下向きｇに付勢している。
【００２８】
前記ディスククランパ７は、図３及び図４に示すように、ターンテーブル４とほぼ同径の円筒状クランパ本体７ａと、該クランパ本体７ａの外周面に一体突設した環状鍔部７ｂとを有しており、該環状鍔部７ｂを各抜け止め片２１を押し分けてクランパ室２０内に嵌入させることにより、そのディスククランパ７が揺動アーム１５の先端部１５ｂに一定範囲内昇降可能に設けられ、ばね１６により揺動アーム１５を介してディスククランパ７を押し下げることにより、そのディスククランパ７とターンテーブル４とでディスクＤをクランプするようになっており、従来の比較的高価なマグネット９及びヨーク１０（図８参照）が不要であるから、その不要となった分だけ製作費が安くつく。
【００２９】
図３に示すように、クランパ本体７ａの上面中央に略半球状凸部２３が一体形成されると共に、該凸部２３に対向して前記クランパ室２０の底面中央に略半球状凹部２４が形成され、前記凸部２３の曲率半径ｒ１よりも凹部２４の曲率半径ｒ２を大きく設定することにより、その凸部２３の頂点２３ａだけが凹部２４の内周面に接触するように形成されている。
【００３０】
前記持ち上げ機構１７は、図２に示すように、揺動アーム１５のアーム本体１５ａに対向してトレイ１の側縁凹段部１ａに前後進ａ，ｂ方向に沿って一体形成したカム板１７Ａからなり、該カム板１７Ａの前端縁１７ａが前方下向きに傾斜され、そのカム板１７Ａの高さｈ１をクランプ時のトレイ１の側縁凹段部１ａから揺動アーム１５までの間隔ｈ２よりも若干大きく設定している〔図５（ｃ）参照〕。なお、図２中、２６はカム板１７Ａに対向してアーム本体１５ａから前方ａに延びる補助杆であって、該補助杆２６ａの下面をアーム本体１５ａの下面と面一状に形成している。
【００３１】
動作原理を説明すると、図１の実線及び図５はプレイモードを示しており、ディスクＤの回転時に該ディスクＤが滑らないようなターンテーブル４とディスククランパ７との挟持力を付与可能な位置まで、ばね１６により揺動アーム１５を押し下げ、該揺動アーム１５の凹部２４の内周面をディスククランパ７の凸部２３の頂点２３ａに押し付けることにより、該ディスククランパ７とターンテーブル４とでディスクＤをクランプし（図３参照）、スピンドルモータ５によりターンテーブル４を介してディスクＤを高速回転させ、該ディスクＤに記録されている情報を光ピックアップ３で読み取り、モニターに映像を再生する。
【００３２】
上記構成によれば、凸部２３の頂点２３ａを中心にディスククランパ７が揺動可能に形成されているから、該ディスククランパ７の下面外周縁の全体をターンテーブル４上のディスクＤに押し付けて、該ディスクＤを確実にクランプすることができる。
【００３３】
また、凹部２４の内周面と凸部２３の頂点２３ａとが点接触しているだけであり、その両者２３，２４間の摩擦抵抗が極めて小さいから、スピンドルモータ５の小さな駆動力でディスクＤを高速回転させることができ、しかも、その点接触箇所でディスクＤが支えられているから、該ディスクＤを芯振れさせることなく高速回転させて、光ピックアップ３による読取り精度を高めることができる。
【００３４】
プレイモードからアンローディング信号が入力されると、図６に示すように、カムスライダ１２を左方向ｅ（または右方向ｆ）にスライドさせてドライブシャーシ６を下動ｄさせることにより、ターンテーブル４をトレイ１に接触しない位置まで降下させ、それとほぼ同時に、トレイ１を前進ａさせることにより、カム板１７Ａをアーム本体１５ａ及び補助杆２６の下にくぐらせて揺動アーム１５を介してディスククランパ７をトレイ１のディスクＤに接触しない位置まで持ち上げｈ、これによって、ディスクＤのクランプを解除し、ターンテーブル４上のディスクＤをトレイ１上に受け渡した後、該トレイ１を前進ａさせ、そのトレイ１からディスクＤを取り出し新たなディスクＤをトレイ１上に載置する。
【００３５】
上記構成によれば、持ち上げ機構１７がトレイ１に一体形成したカム板１７Ａからなっており、その部品点数が少なく、しかも、トレイ１の前後進ａ，ｂを利用してカム板１７Ａにより揺動アーム１５を上下動ｇ，ｈさせるようになっており、その構造が簡単であるから、製作費を極めて安くすることができる。
【産業上の利用可能性】
【００３６】
上記の実施の一形態では、再生専用のＤＶＤプレーヤを例にあげて説明したが、これに限定されるわけではなく、例えば再生や録画または消去を行うＤＶＤレコーダやＣＤプレーヤなどの各種のディスク装置にも適用される。
【図面の簡単な説明】
【００３７】
【図１】本発明の実施の一形態であるディスク装置の平面図である。
【図２】同要部の拡大斜視図である。
【図３】同要部の拡大縦断面図である。
【図４】図３のＡ−Ａ矢視図である。
【図５】（ａ）は図１のＢ−Ｂ矢視図、（ｂ）は図１のＣ−Ｃ矢視図、（ｃ）は図１のＤ−Ｄ矢視図である。
【図６】（ａ）はアンローディング状態のＢ−Ｂ線に沿う縦断面図、（ｂ）は同状態のＣ−Ｃ線に沿う縦断面図、（ｃ）は同状態のＤ−Ｄ線に沿う横断面図である。
【図７】従来例を示す平面図である。
【図８】（ａ）プレイモード状態の縦断面図、（ｂ）はアンローディング状態の縦断面図である。
【符号の説明】
【００３８】
１          トレイ
２          メインシャーシ
２ａ，２ｂ  メインシャーシの両側壁部
３          光ピックアップ
４          ターンテーブル
６          ドライブシャーシ
７          ディスククランパ
８          横桁
９          マグネット
１０        ヨーク
１５        揺動アーム
１６        ばね
１７        持ち上げ機構
１７Ａ      カム板
２０        クランパ室
２３        凸部
２３ａ      凸部の頂部
２４        凹部
Ｄ          ディスク
ａ，ｂ      前後進
ｒ１        凸部の曲率半径
ｒ２        凹部の曲率半径
ｈ１        カム板の高さ
ｈ２        クランプ時のトレイの側縁凹段部から揺動アームまでの間隔
【図１】
2006244621.tif 000003
【図２】
2006244621.tif 000004
【図３】
2006244621.tif 000005
【図４】
2006244621.tif 000006
【図５】
2006244621.tif 000007
【図６】
2006244621.tif 000008
【図７】
2006244621.tif 000009
【図８】
2006244621.tif 000010